(57)【要約】  １つの態様に係る制御方法は、電子機器を制御する制御方法であって、発生したイベントに関する報知を行うステップと、報知に対する応答操作を検出するステップと、応答操作がシングルタッチジェスチャである場合に、イベントに関する情報を第１の方式で出力するステップと、応答操作がマルチタッチジェスチャである場合に、イベントに関する情報を第２の方式で出力するステップと、を含む。１つの態様に係る制御方法は、例えば、シングルタッチジェスチャを検出すると、スマートフォン（１）に、レシーバ（７）を用いた通話を開始させる。１つの態様に係る制御方法は、例えば、マルチタッチジェスチャを検出すると、スマートフォン（１）に、スピーカ（１１）を用いた通話を開始させる。
2015182717.tif 000002
【特許請求の範囲】
【請求項１】
シングルタッチジェスチャ又はマルチタッチジェスチャを受け付けるタッチスクリーンと、
イベントが発生すると、当該発生したイベントに関する第１の情報をスピーカ又はディスプレイに報知させるコントローラと
を備え、
前記コントローラは、イベントの発生報知中、もしくは発生報知後から所定期間中に、所定のマルチタッチジェスチャが前記タッチスクリーンで受け付けられると、当該イベントに関連し且つ前記第１の情報と異なる第２の情報を前記スピーカ又は前記ディスプレイに報知させる電子機器。
【請求項２】
前記イベントは、メールの着信を含む請求項１に記載の電子機器。
【請求項３】
前記コントローラは、
前記メールを受信すると、前記第１の情報としてメールを受信した旨をスピーカ又はディスプレイに報知させ、
前記メールを受信した旨の報知中、もしくは報知後から所定期間中に、前記所定のマルチタッチジェスチャが受け付けられると、当該メールの内容を前記スピーカに音声として読み上げさせる請求項２に記載の電子機器。
【請求項４】
前記コントローラは、
前記メールを受信した旨の報知中、もしくは報知後から所定期間中に、所定のシングルタッチジェスチャが前記タッチスクリーンで受け付けられると、当該メールの内容をディスプレイに表示させる請求項３に記載の電子機器。
【請求項５】
シングルタッチジェスチャ又はマルチタッチジェスチャを受け付けるタッチスクリーンと、
音声着信が発生しているときに、前記シングルタッチジェスチャ及び前記マルチタッチジェスチャを受け付けることが可能なように前記タッチスクリーンを制御するコントローラと
を備え、
前記コントローラは、
前記音声着信の報知中に、所定のシングルタッチジェスチャが前記タッチスクリーンで受け付けられると、当該音声着信に対して応答し、
前記音声着信の報知中に、所定のマルチタッチジェスチャが前記タッチスクリーンで受け付けられると、当該音声着信に対して応答する電子機器。
【請求項６】
前記コントローラは、前記マルチタッチジェスチャの接触位置によらず、前記音声着信に対して応答する請求項５に記載の電子機器。
【請求項７】
前記所定のシングルタッチジェスチャは、接触を開始する位置、接触を継続させたままでの移動する経路、及び接触を離す位置の少なくとも１つを条件として含む請求項５に記載の電子機器。
【請求項８】
スピーカと、
レシーバと、
シングルタッチジェスチャ又はマルチタッチジェスチャを受け付けるタッチスクリーンと、
音声着信が発生すると、発生した音声着信を報知させるコントローラと
を備え、
前記コントローラは、
前記音声着信の報知中に、所定のシングルタッチジェスチャを受け付けると、前記レシーバを利用した通話を開始し、
前記音声着信の報知中に、所定のマルチタッチジェスチャを受け付けると、前記スピーカを利用した通話を開始する電子機器。
【請求項９】
電子機器を制御する制御方法であって、
発生したイベントに関する報知を行うステップと、
前記報知に対する応答操作を検出するステップと、
前記応答操作がシングルタッチジェスチャである場合に、前記イベントに関する情報を第１の方式で出力するステップと、
前記応答操作がマルチタッチジェスチャである場合に、前記イベントに関する情報を第２の方式で出力するステップと、
を含む制御方法。
【請求項１０】
電子機器に、
発生したイベントに関する報知を行うステップと、
前記報知に対する応答操作を検出するステップと、
前記応答操作がシングルタッチジェスチャである場合に、前記イベントに関する情報を第１の方式で出力するステップと、
前記応答操作がマルチタッチジェスチャである場合に、前記イベントに関する情報を第２の方式で出力するステップと、
を実行させる制御プログラムを記憶する記憶媒体。
【発明の詳細な説明】
【技術分野】
【０００１】
本出願は、電子機器、制御方法及び記憶媒体に関する。
【背景技術】
【０００２】
着信等のイベントをユーザに報知する報知機能を有する電子機器が知られている。例えば、特許文献１には、着信を検出した場合にユーザが動作していてもその着信報知を適切に制御することで、その報知に気づかせることが可能となり、着信に対する対応遅れなどを効果的に防ぐことができる装置が開示されている。
【先行技術文献】
【特許文献】
【０００３】
【特許文献１】特開２００９−２９０３０６号公報
【発明の概要】
【発明が解決しようとする課題】
【０００４】
特許文献１では、報知をユーザに気付かせる方法の改善が開示されているが、ユーザが報知に気付いた後にイベントに関して応答する方法の改善については開示されていない。
【課題を解決するための手段】
【０００５】
１つの態様に係る電子機器は、タッチスクリーンと、コントローラとを備える。タッチスクリーンは、シングルタッチジェスチャ又はマルチタッチジェスチャを受け付ける。コントローラは、イベントが発生すると、当該発生したイベントに関する第１の情報をスピーカ又はディスプレイに報知させる。コントローラは、イベントの発生報知中、もしくは発生報知後から所定期間中に、所定のマルチタッチジェスチャがタッチスクリーンで受け付けられると、当該イベントに関連し且つ第１の情報と異なる第２の情報をスピーカ又はディスプレイに報知させる。【０００６】
他の態様に係る電子機器は、タッチスクリーンと、コントローラとを備える。タッチスクリーンは、シングルタッチジェスチャ又はマルチタッチジェスチャを受け付ける。コントローラは、音声着信が発生しているときに、シングルタッチジェスチャ及びマルチタッチジェスチャを受け付けることが可能なようにタッチスクリーンを制御する。コントローラは、音声着信の報知中に、所定のシングルタッチジェスチャがタッチスクリーンで受け付けられると、当該音声着信に対して応答し、音声着信の報知中に、所定のマルチタッチジェスチャがタッチスクリーンで受け付けられると、当該音声着信に対して応答する。【０００７】
他の態様に係る電子機器は、スピーカと、レシーバと、タッチスクリーンと、コントローラとを備える。タッチスクリーンは、シングルタッチジェスチャ又はマルチタッチジェスチャを受け付ける。コントローラは、音声着信が発生すると、発生した音声着信を報知させる。コントローラは、音声着信の報知中に、所定のシングルタッチジェスチャを受け付けると、レシーバを利用した通話を開始し、音声着信の報知中に、所定のマルチタッチジェスチャを受け付けると、スピーカを利用した通話を開始する。【０００８】
１つの態様に係る制御方法は、電子機器を制御する制御方法であって、発生したイベントに関する報知を行うステップと、前記報知に対する応答操作を検出するステップと、前記応答操作がシングルタッチジェスチャである場合に、前記イベントに関する情報を第１の方式で出力するステップと、前記応答操作がマルチタッチジェスチャである場合に、前記イベントに関する情報を第２の方式で出力するステップと、を含む。【０００９】
１つの態様に係る記憶媒体は、電子機器に、発生したイベントに関する報知を行うステップと、前記報知に対する応答操作を検出するステップと、前記応答操作がシングルタッチジェスチャである場合に、前記イベントに関する情報を第１の方式で出力するステップと、前記応答操作がマルチタッチジェスチャである場合に、前記イベントに関する情報を第２の方式で出力するステップと、を実行させる制御プログラムを記憶する。
【図面の簡単な説明】
【００１０】
【図１】図１は、実施形態に係るスマートフォンの斜視図である。
【図２】図２は、スマートフォンの正面図である。
【図３】図３は、スマートフォンの背面図である。
【図４】図４は、スマートフォンのブロック図である。
【図５】図５は、通話着信時の報知動作の例を示す図である。
【図６】図６は、スマートフォンの報知動作の例を示すフローチャートである。
【発明を実施するための形態】
【００１１】
複数の実施形態を、図面を参照しつつ詳細に説明する。以下では、報知機能を有する電子機器の例として、スマートフォンについて説明する。
【００１２】
図１から図３を参照しながら、実施形態に係るスマートフォン１の全体的な構成について説明する。スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１４】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並んで位置してもよいし、離れて位置してもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１５】
ディスプレイ２Ａは、オブジェクトを表示できる。オブジェクトには、文字、画像、記号、及び図形等が含まれる。ディスプレイ２Ａは、表示デバイスを含む。表示デバイスには、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）が含まれる。
【００１６】
タッチスクリーン２Ｂは、タッチスクリーン２Ｂに対する指、ペン、又はスタイラスペン等の接触を検出できる。タッチスクリーン２Ｂは、複数の指、ペン、又はスタイラスペン等がタッチスクリーン２Ｂに接触した位置を検出できる。以下の説明では、タッチスクリーン２Ｂに対して接触する指、ペン、又はスタイラスペン等を、単に「指」、「接触オブジェクト」又は「接触物」と呼ぶことがある。
【００１７】
タッチスクリーン２Ｂの検出方式は、複数の方式を採用できる。この複数の方式には、静電容量方式、抵抗膜方式、表面弾性波方式（又は超音波方式）、赤外線方式、電磁誘導方式、及び荷重検出方式等を含む。以下の説明では、説明を簡単にするため、ユーザはスマートフォン１を操作するために指を用いてタッチスクリーン２Ｂに接触するものと想定するが、これに限定されない。
【００１８】
スマートフォン１は、タッチスクリーン２Ｂにより検出された接触の有無、接触が検出された接触オブジェクトの数、接触が検出された位置、接触が検出された位置の変化、接触が検出された間隔、接触の検出が継続した時間、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、マルチタップ、ドラッグ、フリック、ピンチ、及びスプレッドを含むがこれらに限定されない。
【００１９】
「タッチ」は、タッチスクリーン２Ｂに指が触れるジェスチャである。スマートフォン１は、タッチスクリーン２Ｂに指が接触するジェスチャをタッチとして判別してもよい。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別してもよい。
【００２０】
「リリース」は、指がタッチスクリーン２Ｂから離れるジェスチャである。スマートフォン１は、指がタッチスクリーン２Ｂから離れるジェスチャをリリースとして判別してもよい。「スワイプ」は、指がタッチスクリーン２Ｂに接触したままで移動するジェスチャである。スマートフォン１は、指がタッチスクリーン２Ｂに接触したままで移動するジェスチャをスワイプとして判別してもよい。
【００２１】
「タップ」は、タッチに続いてリリースをするジェスチャである。スマートフォン１は、タッチに続いてリリースをするジェスチャをタップとして判別してもよい。「ダブルタップ」は、タッチに続いてリリースをするジェスチャが２回連続するジェスチャである。スマートフォン１は、タッチに続いてリリースをするジェスチャが２回連続するジェスチャをダブルタップとして判別してもよい。
【００２２】
「ロングタップ」は、ロングタッチに続いてリリースをするジェスチャである。スマートフォン１は、ロングタッチに続いてリリースをするジェスチャをロングタップとして判別してもよい。「マルチタップ」は、複数の指でタップをするジェスチャである。スマートフォン１は、複数の指でのタップをマルチタップとして判別してもよい。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別してもよい。
【００２３】
「フリック」は、指が、タッチスクリーン２Ｂに触れた後移動しながらタッチスクリーン２Ｂから離れるジェスチャである。すなわち、「フリック」は、タッチに続いて指が移動しながらリリースが行われるジェスチャである。スマートフォン１は、指が、タッチスクリーン２Ｂに触れた後移動しながらタッチスクリーン２Ｂから離れるジェスチャをフリックとして判別してもよい。フリックは、指が一方方向へ移動しながら行われることが多い。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２４】
「ピンチ」は、複数の指が互いに近付く方向にスワイプするジェスチャである。スマートフォン１は、タッチスクリーン２Ｂにより検出されるある指の位置と他の指の位置との間の距離が短くなるジェスチャをピンチとして判別してもよい。ピンチは、ピンチインと呼ばれる場合がある。「スプレッド」は、複数の指が互いに遠ざかる方向にスワイプするジェスチャである。スマートフォン１は、タッチスクリーン２Ｂにより検出されるある指の位置と他の指の位置との間の距離が長くなるジェスチャをスプレッドとして判別してもよい。スプレッドは、ピンチアウトと呼ばれる場合がある。
【００２５】
以下の説明では、１本の指により行われるジェスチャを「シングルタッチジェスチャ」と呼び、２本以上の指により行われるジェスチャを「マルチタッチジェスチャ」と呼ぶことがある。マルチタッチジェスチャは、例えば、ピンチおよびスプレッドを含む。タップ、フリックおよびスワイプ等は、１本の指で行われればシングルタッチジェスチャであり、２本以上の指で行われればマルチタッチジェスチャである。
【００２６】
スマートフォン１は、タッチスクリーン２Ｂを介して判別するこれらのジェスチャに従って動作できる。スマートフォン１は、ユーザにとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別をスマートフォン１がＸと判別すること」を、「スマートフォン１がＸを検出する」、又は「コントローラ１０がＸを検出する」と記載することがある。
【００２７】
図４は、スマートフォン１のブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００２８】
タッチスクリーンディスプレイ２は、ディスプレイ２Ａと、タッチスクリーン２Ｂとを有する。ディスプレイ２Ａは、文字、画像、記号、又は図形等のオブジェクトを表示できる。タッチスクリーン２Ｂは、接触物による接触を検出できる。コントローラ１０は、スマートフォン１に対するジェスチャを検出できる。具体的には、コントローラ１０は、タッチスクリーン２Ｂと協働することによって、タッチスクリーン２Ｂ（もしくはタッチスクリーンディスプレイ２）に対するジェスチャをユーザの操作として検出できる。
【００２９】
ボタン３は、ユーザによって操作される。ボタン３は、ボタン３Ａ〜ボタン３Ｆを有する。コントローラ１０は、ボタン３と協働することによってボタン３に対する操作を検出できる。ボタン３に対する操作は、例えば、クリック、ダブルクリック、トリプルクリック、プッシュ、及びマルチプッシュを含むが、これらに限定されない。
【００３０】
ボタン３Ａ〜３Ｃは、例えば、ホームボタン、バックボタンまたはメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３１】
照度センサ４は、スマートフォン１の周囲光の照度を検出できる。照度は、光の強さ、明るさ、又は輝度を示す。照度センサ４は、例えば、ディスプレイ２Ａの輝度の調整に用いてもよい。近接センサ５は、近隣の物体の存在を非接触で検出できる。近接センサ５は、例えば、磁界の変化または超音波の反射波の帰還時間の変化等に基づいて物体の存在を検出する。近接センサ５は、例えば、タッチスクリーンディスプレイ２が顔に近付けられたことを検出するのに用いてもよい。照度センサ４及び近接センサ５は、一つのセンサとして構成されていてもよい。照度センサ４は、近接センサとして用いられてもよい。
【００３２】
通信ユニット６は、無線により通信できる。通信ユニット６は、無線通信規格による通信方式をサポートできる。無線通信規格は、例えば、２Ｇ、３Ｇ、４Ｇ等のセルラーフォンの通信規格を含む。セルラーフォンの通信規格は、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含む。無線通信規格として、さらに、例えば、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等を含む。通信ユニット６は、上述した通信規格の１つ又は複数をサポートしていてもよい。通信ユニット６は、有線による通信をサポートしてもよい。有線による通信は、例えば、イーサネット（登録商標）、ファイバーチャネル等を含む。
【００３３】
レシーバ７及びスピーカ１１は、音出力部であってもよい。レシーバ７及びスピーカ１１は、コントローラ１０から送信される音信号を受信できる。レシーバ７及びスピーカ１１は、受信した音声信号を音として出力できる。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部であってもよい。マイク８は、ユーザの音声等を音信号へ変換できる。マイク８は、変換した音信号をコントローラ１０へ送信できる。
【００３４】
ストレージ９は、プログラム及びデータを記憶できる。ストレージ９は、コントローラ１０の処理結果を一時的に記憶する作業領域としても利用してもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、可搬の記憶媒体と、当該記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。可搬の記憶媒体には、メモリカード、光ディスク、又は光磁気ディスク等が含まれる。
【００３５】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させる。アプリケーションは、例えば、タッチスクリーン２Ｂを介して検出されるジェスチャに応じた処理をコントローラ１０に実行させる。制御プログラムは、例えば、ＯＳである。アプリケーション及び制御プログラムは、通信ユニット６による通信又は非一過的な記憶媒体を介してストレージ９にインストールされてもよい。
【００３６】
ストレージ９は、例えば、制御プログラム９Ａ、メールアプリケーション９Ｂ、通話アプリケーション９Ｃ、及び設定データ９Ｚを記憶してもよい。メールアプリケーション９Ｂは、電子メールの作成、送信、受信、及び表示等のための電子メール機能を提供できる。通話アプリケーション９Ｃは、通話の発信及び着信等のための通話機能を提供できる。設定データ９Ｚは、スマートフォン１の動作に関する各種の設定に関する情報を含む。
【００３７】
制御プログラム９Ａは、スマートフォン１を稼働させるための各種制御に関する機能を提供できる。制御プログラム９Ａが提供する機能には、発生した各種のイベントに関する情報をユーザに知らせる報知機能が含まれる。報知機能によって報知されるイベントには、例えば、通話の着信（音声着信）、メール等のメッセージの着信、登録されたスケジュールの開始時間の到来、登録された起床時間の到来、アプリケーションの更新の通知等が含まれるが、これらに限定されない。制御プログラム９Ａが提供する機能は、メールアプリケーション９Ｂ及び通話アプリケーション９Ｃ等の他のプログラムが提供する機能と組み合わせて利用されることがある。
【００３８】
コントローラ１０は、スマートフォン１の動作を統括的に制御できる。コントローラ１０は、各種の機能を実現する。コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。ＳｏＣは、通信ユニット６等の他の構成要素が統合されていてもよい。
【００３９】
具体的には、コントローラ１０は、ストレージ９に記憶されているデータを必要に応じて参照しつつ、ストレージ９に記憶されているプログラムに含まれる命令を実行できる。コントローラ１０は、データ及び命令に応じて機能部を制御し、それによって各種機能を実現できる。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、及びジャイロスコープ１７を含むが、これらに限定されない。
【００４０】
コントローラ１０は、例えば、制御プログラム９Ａを実行することにより、発生したイベントに関する情報をユーザに報知する等の各種制御を実行できる。コントローラ１０は、音、光、及び振動等のいずれかによって、ユーザに対して報知できる。
【００４１】
カメラ１２は、インカメラとして、フロントフェイス１Ａに面している物体を撮影してもよい。カメラ１３は、アウトカメラとして、バックフェイス１Ｂに面している物体を撮影してもよい。
【００４２】
コネクタ１４は、他の装置が接続される端子を含む。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク、サンダーボルト（登録商標）、ＭＨＬ（Ｍｏｂｉｌｅ  Ｈｉｇｈ−ｄｅｆｉｎｉｔｉｏｎ  Ｌｉｎｋ）、ＬＡＮコネクタ（Ｌｏｃａｌ  Ａｒｅａ  Ｎｅｔｗｏｒｋ  ｃｏｎｎｅｃｔｏｒ）、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４３】
加速度センサ１５は、スマートフォン１に働く加速度の方向及び大きさを検出できる。方位センサ１６は、地磁気の向きを検出できる。ジャイロスコープ１７は、スマートフォン１の角度及び角速度を検出できる。加速度センサ１５、方位センサ１６及びジャイロスコープ１７の検出結果は、スマートフォン１の位置及び姿勢の変化を検出するために、組み合わせて利用してもよい。
【００４４】
ストレージ９が記憶するプログラム及びデータの一部又は全部は、通信ユニット６による通信で他の装置からダウンロードされてもよい。ストレージ９が記憶するプログラム及びデータの一部又は全部は、ストレージ９に含まれる読み取り装置が読み取り可能な非一過的な記憶媒体に記憶されていてもよい。ストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００４５】
図４に示したスマートフォン１の構成は例であり、本開示の要旨を損なわない範囲において適宜変更してよい。例えば、ボタン３の数と種類は図４の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図４に示した例では、スマートフォン１が２つのカメラを備えるが、スマートフォン１は、１つのカメラのみを備えてもよいし、カメラを備えなくてもよい。図４に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００４６】
ここまで、本実施形態に係るスマートフォン１の基本的な構成について説明を行った。以下に、実施形態に係るスマートフォン１が、発生したイベントに関する情報をユーザに報知する報知動作の例について説明する。
【００４７】
図５は、通話の着信時の報知動作の例を示す図である。スマートフォン１は、通話の着信を検出すると、ステップＳ１１に示すように、着信画面をタッチスクリーンディスプレイ２（ディスプレイ２Ａ）に表示する。
【００４８】
図５に示す着信画面は、下部にスライダ５０を含んでいる。スライダ５０の左端には、受話器の画像が付与されたアイコン５１が表示されている。スマートフォン１は、着信画面の表示に加えて、スピーカ１１からの着信音又は音楽の出力、ランプの点灯、バイブレータの振動等のユーザによって予め選択された方式でも、ユーザに着信を報知する。
【００４９】
ステップＳ１２では、ユーザが、アイコン５１の表示領域内で指Ｆ１をタッチスクリーンディスプレイ２に接触させている。ステップＳ１３では、ユーザは、ステップＳ１２で接触させた指Ｆ１をタッチスクリーンディスプレイ２に接触させたままで、接触位置をスライダ５０の右端まで移動させている。スマートフォン１は、接触位置の移動に合わせてアイコン５１を移動させている。
【００５０】
このようなシングルタッチジェスチャを検出すると、スマートフォン１は、ステップＳ１４として、レシーバ７を用いた通話を開始させる。すなわち、相手方の装置から送信される音声をレシーバ７から出力し、マイク８で取得した音声を相手方の装置へ送信する処理を開始する。この場合、スマートフォン１のユーザは、レシーバ７が自分の耳の近くに位置するようにスマートフォン１を保持して通話を行う。このシングルタッチジェスチャは、例えば、ユーザがディスプレイ２Ａを見ながら操作することを前提として設定されている。このシングルタッチジェスチャは、接触を開始する位置、接触を継続させたままでの移動する経路、及び接触を離す位置の少なくとも１つを条件として含んでいてもよい。
【００５１】
ユーザは、スマートフォン１に対して他の操作を行って、着信に応答することができる。ステップＳ１５では、ステップＳ１１で開始された報知が継続している状態で、ユーザが、指Ｆ１及びＦ２をタッチスクリーンディスプレイ２に接触させている。図５において、指Ｆ１及びＦ２の接触位置は、スライダ５０の外側であるが、これに限定されない。ステップＳ１６では、ユーザは、ステップＳ１５で接触させた指Ｆ１及びＦ２をタッチスクリーンディスプレイ２に接触させたままで、接触位置を下方向に移動させている。図５において、指Ｆ１及びＦ２の接触位置は、下方向に移動しているが、これに限定されない。指Ｆ１及びＦ２は、互いが近づくように移動してもよく、互いが離れるように移動してもよい。指Ｆ１及びＦ２は、上方向、左方向、または右方向に移動してもよく、移動しなくてもよい。
【００５２】
このようなマルチタッチジェスチャを検出すると、スマートフォン１は、ステップＳ１７として、スピーカ１１を用いた通話を開始させる。すなわち、相手方の装置から送信される音声をスピーカ１１から出力し、マイク８で取得した音声を相手方の装置へ送信する処理を開始する。この場合、スマートフォン１のユーザは、レシーバ７が自分の耳の近くに位置していなくても、通話を行うことができる。このマルチタッチジェスチャは、上述のシングルタッチジェスチャと異なるジェスチャである。このマルチタッチジェスチャは、例えば、ユーザがディスプレイ２Ａを見ずに操作することを前提として設定されている。このマルチタッチジェスチャは、接触を開始する位置、接触を継続させたままでの移動する経路、及び接触を離す位置を条件として含まなくてもよい。
【００５３】
このように、スマートフォン１は、報知した着信イベントに関して２種類の応答操作を受け付けることができる。応答操作とは、イベントの報知に気付いたユーザが、イベントについての更なる情報を取得するためにスマートフォン１に対して行う操作である。
【００５４】
１つの応答操作は、ステップＳ１２からステップＳ１３に示したように、１本の指をスライダ５０の左端でタッチスクリーンディスプレイ２に接触させ、接触を保ったままで接触位置をスライダ５０の右端まで移動させる操作である。このような操作位置が限定されたシングルタッチジェスチャは、ユーザがタッチスクリーンディスプレイ２を見ながら行わなければ正確に行うことができない。操作位置が限定されたシングルタッチジェスチャが検出された場合、ユーザは、スマートフォン１を操作するための余裕を十分に有している可能性が高い。スマートフォン１は、ステップＳ１４に示したように、スマートフォン１の保持の仕方には制限があるが、通話の内容が第三者に知られにくい方式で通話を開始させる。
【００５５】
もう１つの応答操作は、ステップＳ１５からステップＳ１６に示したように、複数の指を任意の位置でタッチスクリーンディスプレイ２に接触させて行われる操作である。このような任意の場所でのマルチタッチジェスチャは、タッチスクリーンディスプレイ２を注視していなくても実行可能である。任意の場所でのマルチタッチジェスチャが検出された場合、ユーザは、スマートフォン１を操作するための余裕を十分に有していない可能性がある。スマートフォン１は、ステップＳ１７に示したように、通話の内容が第三者に知られる可能性はあるが、スマートフォン１の保持の仕方に制限がない方式で通話を開始させる。
【００５６】
上記の２つの応答操作は、誤動作を防止するためにも有効である。操作位置が限定されたシングルタッチジェスチャは、ユーザが意図して行わなければ、検出される可能性が非常に低い。任意の場所でのマルチタッチジェスチャも、マルチタッチジェスチャの種類を限定することにより、ユーザが意図して行わなければ、検出されにくくなる。例えば、マルチタッチジェスチャを、ピンチ、スプレッド、又は複数の接触位置が平行に移動するスワイプ等に限定することにより、ユーザが意図して行っていないにも関わらず応答操作が検出される可能性を低くすることができる。
【００５７】
以上説明したように、スマートフォン１は、報知したイベントに関する更なる情報の提供を開始するための応答操作として、所定の位置でのシングルタッチジェスチャと任意の位置でのマルチタッチジェスチャという２種類の操作を受け付ける。そして、スマートフォン１は、受け付けた操作の種類に応じて、ユーザの状態に適した方式で、報知したイベントに関する更なる情報の提供を開始する。
【００５８】
図５では、音声着信のイベントに関する報知動作の例について説明したが、スマートフォン１は、他のイベントに関する報知動作においても、上記のような２種類の応答操作を受け付ける。
【００５９】
例えば、メールの着信のイベントについて報知動作は以下のように行われる。メールの着信に関する報知中又は報知完了後に、所定の位置でのシングルタッチジェスチャが検出された場合、スマートフォン１は、メールの内容をタッチスクリーンディスプレイ２に表示する。一方、メールの着信に関する報知中又は報知完了後に、任意の位置でのマルチタッチジェスチャが検出された場合、スマートフォン１は、メールの内容を音声読み上げ処理によって音声に変換し、スピーカ１１から出力する。音声として出力されるメールの内容は、件名、送信元、及び本文の少なくとも１つを含んでもよい。
【００６０】
図６を参照しながら、スマートフォン１の報知動作についてより詳細に説明する。図６は、スマートフォン１の報知動作の例を示すフローチャートである。図６に示す動作は、コントローラ１０が、制御プログラム９Ａを実行することによって実現される。図６に示す処理手順は、コントローラ１０がメールアプリケーション９Ｂ及び通話アプリケーション９Ｃ等の各種アプリケーションを実行中に、報知が必要なイベントが発生した場合に実行される。コントローラ１０は、報知の終了後、又は報知の終了後に所定期間が経過した後に、図６に示す動作を終了させてもよい。コントローラ１０は、図６に示す動作と並行して、他の動作を実行することがある。
【００６１】
ステップＳ１０１として、報知が必要なイベントが発生すると、コントローラ１０は、ステップＳ１０２として、イベントの報知を実行する。
【００６２】
コントローラ１０は、ステップＳ１０３として、報知の実行中又は報知の終了後に、報知に対応する応答操作を検出したかを判定する。応答操作を検出していない場合（ステップＳ１０３，Ｎｏ）、コントローラ１０は、ステップＳ１０３の判定を再び実行する。応答操作を検出している場合（ステップＳ１０３，Ｙｅｓ）、コントローラ１０は、ステップＳ１０４へ進む。
【００６３】
コントローラ１０は、ステップＳ１０４として、検出された応答操作がマルチタッチジェスチャであるかを判定する。検出された応答操作がマルチタッチジェスチャである場合（ステップＳ１０４，Ｙｅｓ）、コントローラ１０は、ステップＳ１０５へ進む。コントローラ１０は、ステップＳ１０５として、報知したイベントに関する情報を第１の方式で出力する。
【００６４】
第１の方式は、ユーザが余裕をもってスマートフォン１を操作できない状態にあるときに好適な方式である。第１の方式には、情報を音声としてスピーカ１１から出力する方式等が含まれる。
【００６５】
検出された応答操作がマルチタッチジェスチャでない場合、すなわち、検出された応答操作がシングルタッチジェスチャである場合（ステップＳ１０４，Ｎｏ）、コントローラ１０は、ステップＳ１０６へ進む。コントローラ１０は、ステップＳ１０６として、検出されたシングルタッチジェスチャが、所定の位置で行われたかを判定する。シングルタッチジェスチャが所定の位置で行われていない場合（ステップＳ１０６，Ｎｏ）、コントローラ１０は、ステップＳ１０３へ戻る。
【００６６】
シングルタッチジェスチャが所定の位置で行われている場合（ステップＳ１０６，Ｙｅｓ）、コントローラ１０は、ステップＳ１０７へ進む。コントローラ１０は、ステップＳ１０７として、報知したイベントに関する情報を第２の方式で出力する。
【００６７】
第２の方式は、ユーザが余裕をもってスマートフォン１を操作できる状態にあるときに好適な方式である。第２の方式には、情報を音声としてレシーバ７から出力する方式、及び情報をディスプレイ２Ａに表示する方式等が含まれる。
【００６８】
本出願の開示する実施形態は、本出願の要旨及び範囲を逸脱しない範囲で変更することができる。さらに、本出願の開示する実施形態及びその変形例は、適宜組み合わせることができる。例えば、上記の実施形態は、以下のように変形してもよい。
【００６９】
例えば、図４に示した各プログラムは、複数のモジュールに分割されていてもよい。あるいは、図４に示した各プログラムは、他のプログラムと結合されていてもよい。
【００７０】
上記の実施形態では、報知機能を備える電子機器の例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機を含むが、これらに限定されない。添付の請求項に係る装置は、据え置き型の電子機器であってもよい。据え置き型の電子機器は、例えば、デスクトップパソコン、及びテレビ受像器を含むが、これらに限定されない。
【００７１】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【００７２】
本出願において、「とき（when）」、「間（during）」、「もし（if）」、「場合（ina  case）」、「際（upon）」、「決定に応答して（in  response  to  determining）」、および「検出に応答して（in  response  to  detecting）」という記載は、状況に応じて他の記載に変えて理解することができる。本出願において、“示された状態又は事象”が「決定されたら（when “a  stated  condition  or  event"  is  determined）」、“示された状態又は事象”が「検出されたら（when  “a  stated  condition  or  event"  is  detected」、又は“示された状態又は事象”を「決定する際に（upon  determining  “a  stated  condition  or  event"）」、「決定するのに応答して（in  response  to  determining  ）」、「検出した際に（upon  detecting）」、もしくは「検出するのに応答して（in  response  to  detecting）」という記載は、状況に応じて他の記載に変えて理解することができる。本出願において、「検出する（detect）」との記載を、状況に応じて、メジャー（measure）、スケール（scale）、センス（sense）との意味で理解することができる。
【符号の説明】
【００７３】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  メールアプリケーション
９Ｃ  通話アプリケーション
９Ｚ  設定データ
１０  コントローラ
１１  スピーカ
１２、１３  カメラ
１４  コネクタ
１５  加速度センサ
１６  方位センサ
１７  ジャイロスコープ
２０  ハウジング
【図１】
2015182717.tif 000003
【図２】
2015182717.tif 000004
【図３】
2015182717.tif 000005
【図４】
2015182717.tif 000006
【図５】
2015182717.tif 000007
【図６】
2015182717.tif 000008
【国際調査報告】
2015182717.tif 000009
2015182717.tif 000010
2015182717.tif 000011
2015182717.tif 000012